(57)【要約】【課題】レポート用紙への記入に関連する日付の把握が容易なレポート帳を提供する。【解決手段】レポート帳１００は、複数のレポート用紙１００を綴じて構成されるものであり、当該レポート用紙１００は、他のレポート用紙１００と接合される綴じ部１０２と、マス目や罫線の印刷された記入領域１０６と、その記入領域１０６の上方周辺部位に配置され、１月から１２月までの各月の曜日表を配列したカレンダーが印刷された日付領域１０４とを有する。【選択図】図１
2009160813.tif 000002
【特許請求の範囲】
【請求項１】
複数のレポート用紙を綴じて構成されるレポート帳であって、
前記複数のレポート用紙のそれぞれは、
一方の面の記入領域の周辺所定部位に配置され、複数月の日付が月別に印刷された日付領域を有するレポート帳。
【請求項２】
前記複数のレポート用紙は、その上辺部が綴じられており、
前記日付領域は、前記記入領域の上方周辺部位に配置された請求項１記載のレポート帳。
【請求項３】
前記日付領域には、１ヶ月の曜日表を複数月分配列したカレンダーが印刷された請求項１または２記載のレポート帳。
【請求項４】
前記日付領域には、１月から１２月までの各月の曜日表を配列したカレンダーが印刷された請求項３に記載のレポート帳。
【請求項５】
複数のレポート用紙を綴じて構成されるレポート帳であって、
前記複数のレポート用紙はその上辺部が綴じられており、
該複数のレポート用紙のそれぞれは、
一方の面の記入領域の上方周辺部位に配置され、１月から１２月までの各月の曜日表を配列したカレンダーが印刷された日付領域を有し、
前記記入領域は、マス目が印刷されているレポート帳。
【請求項６】
複数のレポート用紙を綴じて構成されるレポート帳であって、
前記複数のレポート用紙はその上辺部が綴じられており、
該複数のレポート用紙のそれぞれは、
一方の面の記入領域の上方周辺部位に配置され、１月から１２月までの各月の曜日表を配列したカレンダーが印刷された日付領域を有し、
前記記入欄は、該レポート用紙の綴じられた上辺に平行となって所定間隔に配置された複数の罫線が印刷されているレポート帳。
【発明の詳細な説明】
【技術分野】
【０００１】
本発明は、複数のレポート用紙を綴じて構成されるレポート帳に関する。
【背景技術】
【０００２】
会議において議事内容を記入する場合等の様々な場面において、複数のレポート用紙を綴じて構成されるレポート帳が用いられる（例えば特許文献１参照）。このようなレポート帳に記述する場合、その記述した日付を手書きで記入することが多い。また、記述される文字列等には、次回の会議日程等の日付が含まれることもある。
【特許文献１】実開平２−１９５７１号公報
【発明の開示】
【発明が解決しようとする課題】
【０００３】
しかし、報告、議事録等を記述している際に種々の日付についての記述を手書きで行う場合、記入者によって、その日付の記入位置が異なる場合が多く、他人がレポート用紙の記述内容を見た場合に、そこに記入された日付を一見して把握しにくい。また、記入される文字列等に日付が含まれる場合にも、その日付の記入位置は当然に様々であるため、一見して把握し難い。
【０００４】
本発明は、前述したような事情に鑑みてなされたもので、レポート用紙の記述に関連する日付の把握が容易にできるレポート帳を提供するものである。
【課題を解決するための手段】
【０００５】
本発明に係るレポート帳は、複数のレポート用紙を綴じて構成されるレポート帳であって、前記複数のレポート用紙のそれぞれは、一方の面の記入領域の周辺所定部位に配置され、複数月の日付が月別に印刷された日付領域を有する構成となる。
【０００６】
この構成によれば、レポート用紙の一方の面の記入領域の周辺所定部位に複数月の日付が印刷された日付領域が配置されるため、利用者は、その日付領域において、日付に印を付けたり、記入領域に記述される文字列等に対応づけた日付に印を付けることで、レポート用紙の記述に関連する日付を記入領域の所定周辺部位に表すことができるようになる。
【０００７】
また、本発明に係るレポート帳において、前記複数のレポート用紙は、その上辺部が綴じられており、前記日付領域は、前記記入領域の上方周辺部位に配置されるように構成することができる。
【０００８】
また、本発明に係るレポート帳において、前記日付領域には、１ヶ月の曜日表を複数月分配列したカレンダーが印刷されるように構成することができる。
【０００９】
更に、本発明に係るレポート帳において、前記日付欄には、１月から１２月までの各月の曜日表を配列したカレンダーが印刷されるように構成することができる。
【００１０】
本発明に係るレポート帳は、複数のレポート用紙を綴じて構成されるレポート帳であって、前記複数のレポート用紙はその上辺部が綴じられており、該複数のレポート用紙のそれぞれは、一方の面の記入領域の上方周辺部位に配置され、１月から１２月までの各月の曜日表を配列したカレンダーが印刷された日付領域を有し、前記記入領域は、マス目が印刷されている構成となる。
【００１１】
この構成によれば、レポート用紙の一方の面のマス目の印刷された記入領域の周辺所定部位に１月から１２月までの各月の曜日表を配列したカレンダーが印刷された日付領域が配置されるため、利用者は、その日付領域のカレンダーにおいて、日付に印を付けたり、記入領域に記述される文等に対応付けられた日付に印を付けることで、レポート用紙の記述に関連する日付を記入領域の上方周辺部位に表すことができるようになる。
能となる。
【００１２】
また、本発明に係るレポート帳は、複数のレポート用紙を綴じて構成されるレポート帳であって、前記複数のレポート用紙はその上辺部が綴じられており、該複数のレポート用紙のそれぞれは、一方の面の記入領域の上方周辺部位に配置され、１月から１２月までの各月の曜日表を配列したカレンダーが印刷された日付領域を有し、前記記入欄は、該レポート用紙の綴じられた上辺に平行となって所定間隔に配置された複数の罫線が印刷されている構成となる。
【００１３】
この構成によれば、レポート用紙の一方の面の罫線の印刷された記入領域の周辺所定部位に１月から１２月までの各月の曜日表を配列したカレンダーが印刷された日付領域が配置されるため、利用者は、その日付領域のカレンダーにおいて、日付に印を付けたり、記入領域に記述される文等に対応付けられた日付に印を付けることで、レポート用紙の記述に関連する日付を記入領域の上方周辺部位に表すことができるようになる。
【発明の効果】
【００１４】
本発明によれば、レポート用紙の一方の面の記入領域の周辺所定部位に複数月の日付が印刷された日付領域において、日付に印を付けたり、記入領域に記述される文字列等に対応づけた日付に印を付けることで、レポート用紙の記述に関連する日付を記入領域の所定周辺部位に統一的に表すことができるようになるので、記入者以外の者がレポート用紙の内容を見た場合に、その記述に関連する日付を一見して把握することができるようになる。
【発明を実施するための最良の形態】
【００１５】
以下、本発明の実施の形態について、図面を参照して具体的に説明する。図１は、本発明の実施形態に係るレポート帳の斜視図である。図１に示すレポート帳１０は、複数のレポート用紙１００を綴じて構成される。
【００１６】
重ねられた複数のレポート用紙１００のそれぞれは、綴じ部１０２、日付領域１０４及び記入領域１０６によって構成される。綴じ部１０２は、レポート用紙１００の上辺部に形成されている。この綴じ部１０２には、図示しない接着剤が塗布されて他のレポート用紙１００の綴じ部１０２と接合される。これにより、複数のレポート用紙１００が綴じられて、レポート帳１０が構成される。このように重ねられた複数のレポート用紙１００が綴じられてなるレポート帳１０には、一辺部が台紙に接着されて、１ページ目のレポート用紙１００を覆う表紙１０１が設けられており、この表紙１０１をめくることにより、１ページ目のレポート用紙１００が現われる。なお、一辺部が台紙に接着された表紙１０１は、重ねられた複数のレポート用紙１００の綴じ部１０２（重ねられた複数のレポート用紙１００の厚み部分に対応）に更に接着されていてもよい。
【００１７】
図２は、レポート用紙１００の表面の構成の第１の例を示す図である。図２において、日付領域１０４は、綴じ部１０２の下方であって、記入領域１０６の上方周辺部位に配置されている。
【００１８】
日付領域１０４は、レポート用紙１００の全表面の１／８乃至１／１０程度の範囲を占めている。この日付領域１０４には、カレンダー１１０が印刷されている。このカレンダー１１０は、１月から１２月までの各月の曜日表１１２−１乃至１１２−１２にて構成されている。それら曜日表１１２−１乃至１１２−１２は、横方向に２列となって配列されている。曜日表１１２−１乃至１１２−１２のそれぞれは、１ヶ月のカレンダーに対応し、上部に日曜日から土曜日までの各曜日の文字が印刷され、下部に各曜日に対応する日付の文字が印刷されている。
【００１９】
記入領域１０４は、レポート用紙１００の全表面の７／８乃至９／１０程度の範囲を占めている。図２において、この記入領域１０４には、マス目１２０が印刷されている。
【００２０】
図３は、レポート用紙１００の表面の構成の第２の例を示す図である。図３において、図２と同様、日付領域１０４は、綴じ部１０２の下方であって、記入領域１０６の上方周辺部に配置されている。
【００２１】
日付領域１０４は、図２と同様、レポート用紙１００の全表面の１／８乃至１／１０程度の範囲を占め、カレンダー１１０が印刷されている。このカレンダー１１０は、１月から１２月までの各月の曜日表１１２−１乃至１１２−２を横方向に２列となって配列して構成される。
【００２２】
記入領域１０４は、レポート用紙１００の全表面の７／８乃至９／１０程度の範囲を占めている。この記入欄１０４には、綴じ部１０２の形成されたレポート用紙１００の上辺に平行となって所定間隔に配置された複数の罫線１２２が印刷されている。
【００２３】
図４は、利用者が表紙１０１をめくったレポート帳１０に記入している状態を示す斜視図である。１枚のレポート用紙１００の表面に、日付領域１０４と記入領域１０６が配置されているため、利用者は、これら日付領域１０４及び記入領域１０６の双方に適宜記入することは容易である。
【００２４】
また、図５はカレンダー１１０への第１の記入例、図６はカレンダー１１０への第２の記入例、図７はカレンダー１１０への第３の記入例、図８はカレンダー１１０への第４の記入例を示す図である。
【００２５】
図５に示す第１の記入例では、カレンダー１１０における日付を丸印２００で囲むことによって、そのレポート用紙１００に記入した日付を表すことができる。図５の例では、記入した日付が１月２８日であることを表し得る。
【００２６】
また、図６に示す第２の記入例では、カレンダー１１０における日付を丸印２１４で囲み、記入領域１０６に記入された文字列２１０と丸印２１４とを引き出し線２１２で結んでいる。これにより、丸印２１４で囲まれた日付が、文字列２１０に対応する日付を表し得る。図６の例では、「○○発売開始」が１月２７日であることを表し得る。
【００２７】
また、図７に示す第３の記入例では、カレンダー１１０における２つの日付の一方を丸印２２４で囲み、他方を丸印２２６で囲むとともに、これら丸印２２４と丸印２２６とを線２２８によって結んでいる。更に、記入領域１０６に記入された文字列２２０と、線２２８とを引き出し線２２２で結んでいる。これにより、丸印２２４で囲んだ日付から丸印２２６で囲んだ日付までの期間が、文字列２２０に対応する期間を表し得る。図７の例では、「××展示会」が７月７日から７月１１日までの期間であることを表し得る。
【００２８】
更に、図８に示す第４の例では、カレンダー１１０における一番目の日付対の一方を丸印２３１で囲み、他方を丸印２３２で囲むともに、これら丸印２３１と丸印２３２とを線２３３によって結んでいる。そして、その線２３３の近傍に括弧付き数字（１）を記載する。二番目の日付対の一方を丸印２４１で囲み、他方を丸印２４２で囲むとともに、これら丸印２４１と丸印２４２とを線２４３によって結んでいる。そして、その線２４３の近傍に括弧付き数字（２）を記載する。更に、他の日付を丸印２５１によって囲み、その近傍に括弧付き数字（３）を記載する。また、記入領域１０６には、括弧付き数字（１）に並べて文字列２３０を記載し、括弧付き数字（２）に並べて文字列２４０を記載し、更に、括弧付き数字（３）に並べて文字列２５０を記載する。これにより、丸印２３１で囲んだ日付から丸印２３２で囲んだ日付までの期間が文字列２３０に対応する期間を表し、丸印２４１で囲んだ日付から丸印２４２で囲んだ日付までの期間が文字列２４０に対応する期間を表し、更に、丸印２５１で囲んだ日付が文字列２５１に対応する日付を表すようにすることができる。図８の例では、「××の打合せ期間」が７月７日から７月１１の期間であり、「××の試作期間」が８月４日から８月１５日の期間であり、更に、「××の発売開始」が９月１日であることを表し得る。
【００２９】
このように、本実施形態のレポート帳１０では、当該レポート帳１０を構成するレポート用紙１００において、表面の上部にカレンダー１１０の印刷された日付領域１０４がマス目１２０や罫線１２２の印刷された記入領域１０６の上方周辺部位に配置されている。従って、その日付領域１０４において、カレンダー１１０の日付に丸印を付けたり、記入領域１０６に記述される文字列等と線によって対応づけられた日付に印を付ける等することで、レポート用紙１００の記述に関連する日付をその記入領域１０６の上方周辺部位に統一的に表すことができるようになる。これにより、記入者以外の者がレポート用紙１００の内容を見た場合に、その記述に関連する日付を一見して把握することが可能となる。
【００３０】
また、１枚のレポート用紙１００の表面に、日付領域１０４と記入領域１０６との双方が配置されているため、日付領域１０６において、記入領域１０６に記入される文字列等に対応する日付に丸印を付ける場合には、その文字列等と丸印とを引き出し線で結ぶこと等ができので、記入者が記載内容と日付を容易に対応づけることができるようになるとともに、記入者以外の者が、文字列等と日付との対応付けを容易に把握することも可能となる。
【００３１】
なお、上述した実施形態では、複数のレポート用紙１００の上辺部の綴じ部１０２が互いに接合されることにより、これら複数のレポート用紙１００が綴じられてレポート帳１０が構成されるようにしたが、レポート用紙１００の綴じ方はこれに限定されない。
【００３２】
例えば、図９に示すように、複数のレポート用紙１００の上辺部に綴じ部としての穴３０２が形成され、当該穴３０２にリング３１０を貫通させることで、複数のレポート用紙１００を綴じてレポート帳１０が構成されるようにしてもよい。更には、複数のレポート用紙１００の上辺部に綴じ部としてのバインダー用の複数の穴が形成され、当該穴のそれぞれにバインダーを貫通させることで、複数のレポート用紙１００を綴じてレポート帳１０が構成されるようにしてもよい。更に、レポート用紙１００の綴じ部１０２は、上辺部でなく、左側、あるいは、右側の側辺部に形成することもできる（横綴じ）。
【００３３】
また、上述した実施形態では、日付領域１０４に印刷されるカレンダー１１０は、１月から１２月までの１年分の各月の曜日表１１２−１乃至１１２−１２を横方向に配列して構成されたが、カレンダー１１０の期間は１年に限定されず、１年未満の期間に対応するカレンダーでもよく、１年を超える期間に対応するカレンダーでもよい。また、カレンダー１１０の開始月は１月に限定されるものではなく、年度の始期である４月でもよいし、それ以外の月でもよい。更には、日付領域１０４は、カレンダー１１０のように曜日が印刷されたものでなくてもよく、複数月の単に日付が印刷されたものであってもよい。
【００３４】
また、日付領域１０４の形成位置は、記入領域１０６の上方周辺部位に限定されることなく、記入領域１０６の右または左の側方周辺部位であっても、あるいは、記入領域１０６の下方周辺部位であってもよい。更に、記入領域１０６は、マス目１２０、罫線１２２のない無地であってもよい。
【産業上の利用可能性】
【００３５】
以上、説明したように、本発明に係るレポート帳は、レポート用紙への記入に関連する日付の把握を容易にすることができるという効果を有し、レポート帳として有用である。
【図面の簡単な説明】
【００３６】
【図１】本発明の実施形態に係るレポート帳の斜視図である。
【図２】レポート用紙の表面の構成の第１の例を示す図である。
【図３】レポート用紙の表面の構成の第２の例を示す図である。
【図４】記入者がレポート用紙に記入している状態を示す図である。
【図５】レポート用紙への第１の記入例を示す図である。
【図６】レポート用紙への第２の記入例を示す図である。
【図７】レポート用紙への第３の記入例を示す図である。
【図８】レポート用紙への第４の記入例を示す図である。
【図９】本発明の実施形態に係るレポート帳の他の例の斜視図である。
【符号の説明】
【００３７】
１０  レポート帳
１００  レポート用紙
１０１  表紙
１０２  綴じ部
１０４  日付欄
１０６  記入欄
１１０  カレンダー
１１２−１、１１２−２、１１２−３、１１２−４、１１２−５、１１２−６、１１２−７、１１２−８、１１２−９、１１２−１０、１１２−１１、１１２−１２  曜日表
１２０  マス目
１２２  罫線
【図１】
2009160813.tif 000003
【図２】
2009160813.tif 000004
【図３】
2009160813.tif 000005
【図４】
2009160813.tif 000006
【図５】
2009160813.tif 000007
【図６】
2009160813.tif 000008
【図７】
2009160813.tif 000009
【図８】
2009160813.tif 000010
【図９】
2009160813.tif 000011